(57)【要約】【課題】  底面の長さ寸法が大きい場合にも容易に底上げすることができるシート状収納物の収納箱を提供する。【解決手段】  本発明に収納箱１は、中空の直方体状を呈し、長方形状の天面２及び底面３と、天面２及び底面３とそれらの長辺２ａ，３ａで交わる一対の長側面４，４と、天面２及び底面３とそれらの短辺２ｂ，３ｂで交わる一対の短側面５，５とを備え、中空内部にティッシュペーパーＴが積層状態で収納されるとともに、天面２にティッシュペーパーＴの取出口６が形成され、切込みの形成を容易とする切込線９，１０が、底面３の長辺３ａから中心部３ｄに向けて設けられている。【選択図】  図１
2011148545.tif 000002
【特許請求の範囲】
【請求項１】
中空の直方体状を呈し、長方形状の天面及び底面と、前記天面及び前記底面とそれらの長辺で交わる一対の長側面と、前記天面及び前記底面とそれらの短辺で交わる一対の短側面とを備え、中空内部にシート状収納物が積層状態で収納されるとともに、前記天面に前記シート状収納物の取出口が形成された収納箱であって、
切込みの形成を容易とする切込線が、前記底面の長辺から前記底面の中心部に向けて設けられ、
前記切込線により切込みが形成され、前記一対の長側面及び前記一対の短側面の下部が前記底面との交線に略平行な直線に沿って前記中空内部の側に折り込まれ、前記底面が前記天面に向けて押し上げられることによって、前記底面が底上げ可能であることを特徴とする収納箱。
【請求項２】
前記切込線が、前記長側面から前記底面にかけて設けられていることを特徴とする請求項１に記載の収納箱。
【請求項３】
前記切込線が、前記長辺の端部から前記底面の中心部に向けて設けられ、
前記長辺の端部から前記長側面と前記短側面との交線に沿って、及び、前記長辺の端部から前記底面と前記長側面又は前記短側面との交線に沿って、切込みの形成を容易とする補助切込線が設けられ、
前記切込線及び前記補助切込線により切込みが形成され、該切込みを外縁として前記底面及び前記長側面又は前記短側面に形成される折込片が前記中空内部の側又は外側に折り込まれ、前記一対の長側面及び前記一対の短側面の下部が前記底面との交線に略平行な直線に沿って前記中空内部の側に折り込まれ、前記底面が前記天面に向けて押し上げられることによって、前記底面が底上げ可能であることを特徴とする請求項１に記載の収納箱。
【請求項４】
前記切込線が、前記長側面から前記底面にかけて設けられるとともに、前記長辺の端部から前記底面の中心部に向けて設けられ、
前記長辺の端部から前記長側面と前記短側面との交線に沿って、及び、前記長辺の端部から前記底面と前記長側面又は前記短側面との交線に沿って、切込みの形成を容易とする補助切込線が設けられ、
前記切込線及び前記補助切込線により切込みが形成され、該切込みを外縁として前記底面及び前記長側面又は前記短側面に形成される折込片が前記中空内部の側又は外側に折り込まれ、前記一対の長側面及び前記一対の短側面の下部が前記底面との交線に略平行な直線に沿って前記中空内部の側に折り込まれ、前記底面が前記天面に向けて押し上げられることによって、前記底面が底上げ可能であることを特徴とする請求項１に記載の収納箱。
【請求項５】
前記切込線が、前記底面の一対の長辺の両端部それぞれから前記底面の中心部に向けて設けられて４つの角部切込線を構成し、
折込みを容易とする折込線が、前記４つの角部切込線を構成する切込線のうち隣接するもの同士について、その底面の中心部側の端部を結ぶように設けられていることを特徴とする請求項３又は請求項４に記載の収納箱。
【請求項６】
折込みを容易とする折込線が、前記一対の長側面及び前記一対の短側面においてそれらと前記底面との交線に略平行に設けられていることを特徴とする請求項１乃至請求項５のいずれか１項に記載の収納箱。
【請求項７】
切込みの形成を容易とする補助切込線が、前記長辺の端部から前記長側面の中心部に向けて設けられていることを特徴とする請求項１乃至請求項６のいずれか１項に記載の収納箱。
【請求項８】
前記切込線が、前記長辺の端部から前記底面の中心部に向けて設けられ、
前記長辺の端部から前記長側面と前記短側面との交線に沿って、切込みの形成を容易とする補助切込線が設けられるとともに、
折込みを容易とする折込線が、前記一対の長側面及び前記一対の短側面においてそれらと前記底面との交線と略平行に、かつ、前記底面において前記各交線と略平行に、それぞれ設けられており
前記折込線に沿って、前記一対の長側面及び前記一対の短側面の下部が前記中空内部の側に折り込まれることを特徴とする請求項１に記載の収納箱。
【請求項９】
前記折込線は、裏面側から見て凹状となるように設けられていることを特徴とする請求項８に記載の収納箱。
【発明の詳細な説明】
【技術分野】
【０００１】
本発明は、ティッシュペーパーやウェットティッシュ、ペーパータオル、ポリ袋等のシート状の収納物を内部に収納する収納箱に関する。
【背景技術】
【０００２】
ティッシュペーパー等のシート状の収納物を積層状態で収納し、このシート状収納物の取出口が上部に形成された収納箱として、例えば特許文献１に記載のものが知られている。この収納箱では、収納物の残量が少なくなったときに、矩形状の底面の角部を頂点とする錐体状の部分を切離線に沿って切り離すか、あるいは、その底面の角部付近に接する側面の角部を切込線又は折込線に沿って切り込み又は折り込んで開口を形成することにより（同文献における図９乃至図１２参照）、底面と二側面が交わる底面の角部周辺の剛性を低下させることができる。その上で、側面に形成された折込線に沿って、側面を底面との交線に略平行に折り曲げ、底面を上方に押し上げることにより、底面を底上げして収納物を取出口に近づけ、残量が少なくなった収納物の取出しを容易としている。
【先行技術文献】
【特許文献】
【０００３】
【特許文献１】特開２００９−９１０１５号公報
【発明の概要】
【発明が解決しようとする課題】
【０００４】
上記従来の収納箱では、底面が全体的に底上げされるので、例えば収納物がティッシュペーパーのように薄手で柔らかいものである場合にも、その一部だけが持ち上げられて他部が持ち上げられずに取り出しにくいといったような不都合は解消される。一方、使用者により底面が全体的に底上げされるためには、使用者が折込みを容易に行える必要があり、もしこの折込作業が使用者にとって難しいものであると、結局は収納物の残量が少なくなっても収納箱は底上げされることなく使用され続けることになる。
【０００５】
しかしながら、上記従来の収納箱では、特に底面の長さ寸法（辺の長さ）が大きい場合に折込みにくさを伴うことがあり、使用者の折込作業が容易となるように実用性を高める必要があった。
【０００６】
すなわち、上記従来の収納箱の折込作業時に、使用者は、左右の親指で側面又は底面周縁部の（使用者から見て）左右両端に力を加え、これを収納箱の向きを変えながら各側面又は各底面周縁部について変形量のバランスをとりつつ順次行い、底上げを最終的に完了させる。よって、使用者が底上げを容易に行うためには、左右の親指の力が不用意な変形を生じさせない程度に効率的に側面又は底面周縁部に伝達されることを要するが、上記従来の収納箱では、底面の長さ寸法が大きいと、左右の親指による力の作用点が離れ、側面又は底面周縁部を長さ寸法全域に亘って変形させるために大きな力を加える必要がある一方、その大きな力の作用点付近だけ不用意に変形してしまうおそれもあり、誰もが習熟を要することなく簡単に底上げすることができる構造とは必ずしもいえない場合があった。
【０００７】
本発明は、上記の問題点に鑑みてなされたもので、底面の長さ寸法が大きい場合にも容易に底上げすることができるシート状収納物の収納箱を提供することを課題としている。
【課題を解決するための手段】
【０００８】
上記課題を解決するために、請求項１に係る発明は、中空の直方体状を呈し、長方形状の天面及び底面と、前記天面及び前記底面とそれらの長辺で交わる一対の長側面と、前記天面及び前記底面とそれらの短辺で交わる一対の短側面とを備え、中空内部にシート状収納物が積層状態で収納されるとともに、前記天面に前記シート状収納物の取出口が形成された収納箱であって、切込みの形成を容易とする切込線が、前記底面の長辺から前記底面の中心部に向けて設けられ、前記切込線により切込みが形成され、前記一対の長側面及び前記一対の短側面の下部が前記底面との交線に略平行な直線に沿って前記中空内部の側に折り込まれ、前記底面が前記天面に向けて押し上げられることによって、前記底面が底上げ可能であることを特徴とする。
【０００９】
ここで、収納箱は、切込線の形成や長側面及び短側面の折込み、底面の押上げを可能とするものであればどのようなものでもよく、その材質はティッシュペーパー等の収納箱に広く用いられている紙材に限られない。
【００１０】
また、「底面の中心部」とは、底面において２本の対角線が交差する点を含む広がりをもった領域を意味し、「底面の中心部に向けて」とは、切込線がその２本の対角線の交点に向いていることまでを要件とするものではなく、切込線が長辺から離れる方向に向かって延在し、かつ、切込線が長辺の端部を通る場合には底面の短辺に沿っていなければ、この要件は満たされる。
【００１１】
請求項１に係る発明によれば、切込みの形成を容易とする切込線が底面の長辺から中心部に向けて設けられ、使用者は、その切込線により切込みを形成した上で底上げすることができるので、底上げ時に長側面とともに折り込まなければならない底面の長さが切込みにより分断・短縮され、底面を押し込むための使用者の左右の親指は、分断・短縮された中での両端位置において底面又は長側面に力を作用させる。よって、使用者の左右の親指による押込力の作用点が、切込線により接近することになり、たとえ底面の長さ寸法が底上げ前は大きくても、容易に底上げすることができる。
【００１２】
請求項２に係る発明は、請求項１に記載の収納箱において、前記切込線が、前記長側面から前記底面にかけて設けられていることを特徴とする。
【００１３】
請求項２に係る発明によれば、切込線が長側面から底面にかけて設けられているので、切込線により形成される切込みが長辺を横切る。よって、底上げ時に折り込まなければならない長側面の長さが底面の長さと同様に切込みにより分断・短縮され、長側面と底面が交わってなる稜線周辺の剛性も低下するので、底上げが容易となる。
【００１４】
請求項３に係る発明は、請求項１に記載の収納箱において、前記切込線が、前記長辺の端部から前記底面の中心部に向けて設けられ、前記長辺の端部から前記長側面と前記短側面との交線に沿って、及び、前記長辺の端部から前記底面と前記長側面又は前記短側面との交線に沿って、切込みの形成を容易とする補助切込線が設けられ、前記切込線及び前記補助切込線により切込みが形成され、該切込みを外縁として前記底面及び前記長側面又は前記短側面に形成される折込片が前記中空内部の側又は外側に折り込まれ、前記一対の長側面及び前記一対の短側面の下部が前記底面との交線に略平行な直線に沿って前記中空内部の側に折り込まれ、前記底面が前記天面に向けて押し上げられることによって、前記底面が底上げ可能であることを特徴とする。
【００１５】
請求項３に係る発明によれば、切込線が長辺の端部から底面の中心部に向けて設けられているので、底上げ時に折り込まなければならない底面の長さ、すなわち、底上げ時の左右の親指による押込力の作用点間距離が、切込線が中心部に向かい短辺から離れる分だけ小さくなる。また、長辺の端部から長側面と短側面との交線に沿って、及び、長辺の端部から底面と長側面又は短側面との交線に沿って、切込みの形成を容易とする補助切込線が設けられ、切込線及び補助切込線による切込みを外縁として折込片が形成されるので、底上げ時には、その折込片を中空内部の側又は収納箱の外側に折り込むことにより、底面、長側面及び短側面が集まる長辺の端部（底面の角部）周辺の剛性を低下させることができ、底上げが容易となる。
【００１６】
請求項４に係る発明は、請求項１に記載の収納箱において、前記切込線が、前記長側面から前記底面にかけて設けられるとともに、前記長辺の端部から前記底面の中心部に向けて設けられ、前記長辺の端部から前記長側面と前記短側面との交線に沿って、及び、前記長辺の端部から前記底面と前記長側面又は前記短側面との交線に沿って、切込みの形成を容易とする補助切込線が設けられ、前記切込線及び前記補助切込線により切込みが形成され、該切込みを外縁として前記底面及び前記長側面又は前記短側面に形成される折込片が前記中空内部の側又は外側に折り込まれ、前記一対の長側面及び前記一対の短側面の下部が前記底面との交線に略平行な直線に沿って前記中空内部の側に折り込まれ、前記底面が前記天面に向けて押し上げられることによって、前記底面が底上げ可能であることを特徴とする。
【００１７】
請求項４に係る発明によれば、請求項２に係る発明及び請求項３に係る発明の作用が兼備され、底上げが容易となる。
【００１８】
請求項５に係る発明は、請求項３又は請求項４に記載の収納箱において、前記切込線が、前記底面の一対の長辺の両端部それぞれから前記底面の中心部に向けて設けられて４つの角部切込線を構成し、折込みを容易とする折込線が、前記４つの角部切込線を構成する切込線のうち隣接するもの同士について、その底面の中心部側の端部を結ぶように設けられていることを特徴とする。
【００１９】
請求項５に係る発明によれば、折込みを容易とする折込線が、４つの角部切込線を構成する切込線のうち隣接するもの同士について、その底面の中心部側の端部を結ぶように設けられているので、使用者は底面についての折込作業を折込線に沿って行えばよく、底上げが容易となる。
【００２０】
請求項６に係る発明は、請求項１乃至請求項５のいずれか１項に記載の収納箱において、折込みを容易とする折込線が、前記一対の長側面及び前記一対の短側面においてそれらと前記底面との交線に略平行に設けられていることを特徴とする。
【００２１】
請求項６に係る発明によれば、折込みを容易とする折込線が、一対の長側面及び一対の短側面においてそれらと底面との交線に略平行に設けられているので、使用者は長側面及び短側面についての折込作業を折込線に沿って行えばよく、底上げが容易となる。
【００２２】
請求項７に係る発明は、請求項１乃至請求項６のいずれか１項に記載の収納箱において、切込みの形成を容易とする補助切込線が、前記長辺の端部から前記長側面の中心部に向けて設けられていることを特徴とする。ここで、「長側面の中心部」とは、長側面において２本の対角線が交差する点を含む広がりをもった領域を意味し、「長側面の中心部に向けて」とは、補助切込線がその２本の対角線の交点に向いていることまでを要件とするものではなく、補助切込線が長側面において底面の長辺から離れる方向に向かって延在し、かつ、長側面と短側面との交線に沿っていなければ、この要件は満たされる。
【００２３】
請求項７に係る発明によれば、切込みの形成を容易とする補助切込線が、前記長辺の端部から前記長側面の中心部に向けて設けられているので、底上げ時に折り込まなければならない長側面の長さが、補助切込線が長側面と短側面との交線から離れる分だけ小さくなる。特に、切込線が長辺の端部から底面の中心部に向けて設けられている場合には、底上げ時に折り込まなければならない底面の長さも小さくなるので、長側面及び底面の折込箇所の短縮化が相俟って底上げが極めて容易となる。
【００２４】
請求項８に係る発明は、請求項１に記載の収納箱において、前記切込線が、前記長辺の端部から前記底面の中心部に向けて設けられ、前記長辺の端部から前記長側面と前記短側面との交線に沿って、切込みの形成を容易とする補助切込線が設けられるとともに、折込みを容易とする折込線が、前記一対の長側面及び前記一対の短側面においてそれらと前記底面との交線と略平行に、かつ、前記底面において前記各交線と略平行に、それぞれ設けられており、前記各折込線に沿って、前記一対の長側面及び前記一対の短側面の下部が前記中空内部の側に折り込まれることを特徴とする。
【００２５】
請求項８に係る発明によれば、前記切込線及び前記補助切込線により切込みが形成され、当該切込みが離間することにより、底面を容易に凸条に変形させた後に、さらに、底面を凹状に変形させることができるため、二段階の作業で容易に底上げをすることができることになる。
【００２６】
また、折込みを容易とする折込線が、一対の長側面及び一対の短側面においてそれらと底面との交線に略平行となるように設けられており、かつ、前記底面において前記各交線と略平行となるように、他の折込線が設けられているため、使用者は長側面及び短側面についての折込作業と、底面についての折込作業を各折込線に沿って行えばよいことから、底上げを容易に行うことができる。
【００２７】
請求項９に係る発明によれば、請求項８に記載の収納箱において、前記折込線は、裏面側から見て凹状となるように設けられていることを特徴としている。ここで、裏面側とは、収納箱におけるティッシュペーパーが収納される内部側の面をいう。
【００２８】
請求項９に係る発明によれば、前記折込線は、裏面側から見て凹状となるように設けられているため、底面、長側面及び短側面の折り込みを容易に行うことが可能となる。
【発明の効果】
【００２９】
本発明によれば、底面の長さ寸法が大きい場合にも、収納箱を容易に底上げすることができるという効果を奏する。
【図面の簡単な説明】
【００３０】
【図１】発明を実施するための形態（第１実施形態）に係る収納箱を上方側から見た斜視図である。
【図２】図１の収納箱を下方側から見た斜視図である。
【図３】図１の収納箱を組み立てるためのシート材の平面図である。
【図４】図１の収納箱の底上げ時に切込線により切込みを形成した状態を示す説明図である。
【図５】図１の収納箱の底上げ時に切込みを外縁とする折込片を折り込んだ状態を示す説明図である。
【図６】図１の収納箱の底上げ時に使用者が左右の親指で力を加えている状態を示す説明図である。
【図７】図１の収納箱が底上げされた状態を示す斜視図である。
【図８】発明を実施するための形態に係る収納箱の他の例（第２実施形態）を示す斜視図である。
【図９】図８の収納箱を組み立てるためのシート材の平面図である。
【図１０】図８の収納箱の底上げ時の第一段階の状態を示す斜視図である。
【図１１】図８の収納箱の底上げ時の第二段階の状態を示す斜視図である。
【図１２】図１１に続く状態を示す斜視図である。
【図１３】図１２に続く状態を示す斜視図である。
【図１４】発明を実施するための形態に係る収納箱の他の例（第３実施形態）を示す斜視図である。
【図１５】図１４の収納箱を組み立てるためのシート材の平面図である。
【図１６】発明を実施するための形態に係る収納箱のさらに他の例（第４実施形態）を示す斜視図である。
【図１７】図１６の収納箱を組み立てるためのシート材の平面図である。
【図１８】図１７のシート材の変形例である。
【発明を実施するための形態】
【００３１】
本発明を実施するための形態について、図面を用いて説明する。なお、各実施形態の説明において、同一の構成要素に関しては同一の符号を付し、重複した説明は省略する。
【００３２】
（第１実施形態）
図１及び図２に示すように、本実施の形態（第１実施形態）に係る収納箱１は、紙製で中空の直方体状を呈し、その中空内部Ｓ（図７参照）にはシート状収納物としてのティッシュペーパーＴが積層状態で収納される。
【００３３】
この収納箱１は、長方形状の天面２及び底面３と、天面２及び底面３とそれらの長辺２ａ，３ａで交わる一対の長側面４と、天面２及び底面３とそれらの短辺２ｂ，３ｂで交わる一対の短側面５とを備える。天面２には、ティッシュペーパーＴの取出口６が形成されている。
【００３４】
長側面４及び短側面５には、底上げ時における折込みを容易とするための裏面側から見て凹状にプレス加工された折込線７，８が、長側面４及び短側面５と底面３との交線（長辺３ａ、短辺３ｂ）に略平行に設けられている。
【００３５】
長側面４から底面３にかけては、収納箱１の長さ方向（長辺２ａ，３ａに沿う方向：図１におけるＸ方向）の略中央に位置するように、底上げ時における切込みの形成を容易とするためのミシン目状に加工された切込線９が設けられている。切込線９は、中間点９ａにおいて長辺３ａと直交してこれを横切る。切込線９の長側面４における端部９ｂは折込線７上にあり、切込線９の端部９ｂと反対側の端部９ｃは、中間点９ａから端部９ｂまでの距離と中間点９ａから端部９ｃまでの距離とが等しくなるように、底面３上に位置している。
【００３６】
底面３には、長辺３ａ，３ａの各両端部３ｃ，３ｃから中心部３ｄに向けて、切込線９と同様にミシン目状に加工された４つの切込線（角部切込線）１０が設けられている。各切込線１０が長辺３ａ及び短辺３ｂとなす角度は、それぞれ４５°である。なお、中心部３ｄは、底面３において２本の対角線が交差する点３ｅを含む広がりをもった領域であり、例えば次述の折込線１１，１２に囲まれた領域全体を中心部３ｄとしてもよい。
【００３７】
また、底面３には、折込線７，８と同様に、裏面側から見て凹状にプレス加工された折込線１１，１２が設けられている。折込線１１は、切込線９の端部９ｃを通ってＸ方向に延在し、その両端が切込線１０の中心部３ｄ側の端部１０ａと一致する。折込線１２は、切込線１０の端部１０ａを通って収納箱１の幅方向（短辺２ｂ，３ｂに沿う方向：図１におけるＹ方向）に延在し、その両端が長辺３ａとの交点３ｆである。
【００３８】
底面３の角に当たる長辺３ａの端部３ｃからは、切込線９，１０と同様にミシン目状に加工された補助切込線１３が、長側面４と短側面５との交線に沿って、折込線７の折込線８との衝合点７ａまで延設されている。さらに、端部３ｃからは、切込線９，１０及び補助切込線１３と同様にミシン目状に加工された補助切込線１４が、底面３と長側面４との交線である長辺３ａに沿って、交点３ｆまで延設されている。衝合点７ａと交点３ｆとの間には、折込線７，８，１１，１２と同様に凹状にプレス加工された折込線１５が設けられている。
【００３９】
収納箱１の生産に供する紙製のシート材は、例えば図３に示すように加工されている（同図において、図１及び図２の各所と対応する箇所には同一の符号を付して説明を省略する。）。このシート材１６は、収納箱１の展開図様のもので、これに対して所定の手順で折曲げ及び貼着を行うことにより収納箱１になる。
【００４０】
シート材１６では、長側面４、天面２、長側面４、底面３及び貼代１７がこの順で連設され、これらを区画する長辺２ａ，３ａは凹状にプレス加工されている。
【００４１】
また、天面２の長さ方向の両端部に隣接して短側面上片１８，１８が形成され、底面３の長さ方向の両端部に隣接して短側面下片１９，１９が形成され、短側面下片１９，１９の先端には貼代２０，２０が設けられている。天面２と短側面上片１８とを区画する短辺２ｂ、及び、底面３と短側面下片１９とを区画する短辺３ｂは、凹状にプレス加工されている。
【００４２】
さらに、長側面４の長さ方向の両端部には、これに隣接して耳部２１，２１が形成されている。長側面４と耳部２１との境界には、凹状にプレス加工された折込線２２及び補助切込線１３が設けられている。
【００４３】
このシート材１６を組み立てて収納箱１とするには、まず、長辺２ａ，３ａを山折りし、貼代１７に糊付けしてこれを図３における上方の長側面４の裏面に貼着する。なお、貼代１７には、その長側面４における折込線１５と重なり合う位置に、凹状にプレス加工された折込線２３が形成されており、後述する底上げ時に、その折込線１５の折込みが阻害されないようになっている。
【００４４】
次に、天面２、底面３及び２つの長側面４で囲まれた中空内部にティッシュペーパーＴを入れ、折込線２２を山折りして耳部２１を内方に折り曲げる。
【００４５】
続いて、短辺３ｂを山折りして短側面下片１９を上方に折り曲げ、短辺２ｂを山折りして短側面上片１８を下方に折り曲げ、貼代２０に糊付けした上でこれを短側面上片１８の裏面に貼着する。これにより、短側面５が形成され、収納箱１が完成する。
【００４６】
この収納箱１において、ティッシュペーパーＴの残量が少なくなった場合には、使用者は、ティッシュペーパーＴを取り出しやすくするために、底上げをすればよい。
【００４７】
この底上げ時の手順は、まず、図４に示すように、切込線９，１０及び補助切込線１３，１４のすべてについてミシン目を破断し、切込みを形成する（切込みには、対応する切込線と同一の符号を付す。）。
【００４８】
次に、図５に示すように、切込み１３，１４を外縁として形成される三角形状の折込片２４を、折込線１５を山折りして収納箱１の内側に折り込むとともに、切込み１０，１４を外縁として形成される三角形状の折込片２５を、折込線１２を山折りして収納箱１の内側に折り込む。
【００４９】
そして、図６に示すように、左右の親指ＦＬ，ＦＲを、長辺３ａ上の交点３ｆと中間点９ａ（ここでは、中間点９ａは、切込み９の中間点とする。）との間でなるべく離間した位置（一方の指を交点３ｆの近く、他方の指を中間点９ａの近く）に当て、そこに押込力を加える。すると、その交点３ｆと中間点９ａとの間の部分が、折込線７，８が山折りとなるように、かつ、長辺３ａ、短辺３ｂ及び折込線１１，１２が谷折りとなるように変形するので、このような押込みをその長辺３ａの残り半分及びもう一方の長辺３ａについて順次行う。
【００５０】
以上の手順により、図７に示すように、長側面４及び短側面５の下部４ａ，５ａが折込線７，８に沿って中空内部Ｓの側に折り込まれ、底面３は略全面的に底上げされ、積層状態にあるティッシュペーパーＴは全体的に取出口６に接近するので、その取出しが容易となる。
【００５１】
この実施の形態に係る収納箱１によれば、切込みの形成を容易とする切込線９，１０が底面３の長辺３ａから中心部３ｄに向けて設けられ、使用者は、その切込線９，１０により切込み９，１０を形成した上で底上げすることができるので、底上げ時に長側面４とともに折り込まなければならない底面３の長さが、切込み９，１０によりＬ１からＬ２（図２参照）に分断・短縮され、使用者の左右の親指ＦＬ，ＦＲは、分断・短縮された中での両端位置において底面３又は長側面４に押込力を作用させる。
【００５２】
詳細には、切込線１０が長辺３ａの端部３ｃから底面３の中心部３ｄに向けて設けられているので、底上げ時に折り込まなければならない底面３の長さ、すなわち、底上げ時の左右の親指ＦＬ，ＦＲによる押込力の作用点間距離は、切込線１０が中心部３ｄに向かい短辺３ｂから離れる分（端部３ｃと交点３ｆとの離間距離分）だけ小さくなる。その上、ここでは切込線９が長側面４から底面３にかけて設けられ、切込線９により形成される切込み９が長辺３ａを横切る。よって、底上げ時に折り込まなければならない長側面４の長さが底面３の長さと同様に切込み９により分断・短縮され、長側面４と底面３が交わってなる稜線周辺の剛性も低下する。
【００５３】
さらに、長辺３ａの端部３ｃから長側面４と短側面５との交線（折込線２２）に沿って衝合点７ａまで、及び、長辺３ａの端部３ｃから底面３と長側面４との交線（長辺３ａ）に沿って交点３ｆまで、切込みの形成を容易とする補助切込線１３，１４が設けられ、切込線１０及び補助切込線１３，１４による切込み１０，１３，１４を外縁として折込片２４，２５が形成されるので、底上げ時には、その折込片２４，２５を中空内部Ｓの側に折り込むことにより、底面３、長側面４及び短側面５が集まる長辺３ａの端部３ｃ（底面３の角部）周辺の剛性を低下させることができる。
【００５４】
したがって、収納箱１は、切込線９，１０により押込力の作用点間距離の分断・短縮が図られるとともに長側面４と底面３が交わってなる稜線周辺の剛性低下も図られ、加えて、補助切込線１３，１４により底面３の角部周辺の剛性低下も図られることによって、底上げが容易となっている。
【００５５】
また、収納箱１では、折込みを容易とする折込線７，８が、長側面４及び短側面５においてそれらと底面３との交線に略平行に設けられ、折込線１１，１２が、４つの切込線１０のうち隣接するもの同士について、その底面３の中心部３ｄ側の端部１０ａを結ぶように設けられ、折込線１５が、折込片２４について設けられているので、底面３、長側面４、短側面５及び折込片２４，２５の折込みが容易で、底上げの容易性を高めている。
【００５６】
なお、折込片２４，２５の折込みについては、強い力を加えてしっかり行うのではなく軽く行えばよい。こうすることにより、底上げの完了時には紙の復元力も作用してそれらの折込みにより生じた開口が塞がれるような状態となり（図７参照）、例えばティッシュペーパーＴが保湿性を有するものである場合に、開口を通じた通気を防止して乾燥を抑制することができる。
【００５７】
（第２実施形態）
図８は、実施の形態の他の例（第２実施形態）としての収納箱１’を示しており、図９は、当該収納箱１’の生産に供する紙製のシート材１６’を示している。
【００５８】
本実施の形態の収納箱１’は、以下の点を除き、第１実施形態の収納箱１とほぼ同様の構成である。すなわち、収納箱１における各長側面４から底面３にかけて、同収納箱１の長さ方向の略中央に位置するように設けられている切込線９と、長辺３ａの端部３ｃから、底面３と長側面４との交線である長辺３ａに沿って設けられている補助切込線１４が、第２実施形態の収納箱１’では存在していない点が異なっている。
【００５９】
したがって、底面３には、長辺３ａ，３ａの各両端部３ｃ，３ｃから中心部３ｄに向けて、切込線９と同様にミシン目状に加工された４本の切込線（角部切込線）１０が設けられているとともに、長辺３ａ，３ａの各両端部３ｃ，３ｃを起点として長側面４と短側面５の交線に沿って補助切込線１３が設けられている。なお、この場合の補助切込線１３は、長辺３ａのやや中央部側となるように、短辺３ｂと平行となるように形成されていれば、切込線１０と干渉しないため、折り込みをしやすくなるため好適である。
【００６０】
また、折込みを容易とするために、裏面側から見て凹状にプレス加工された折込線７，８が、長側面４及び短側面５においてそれらと底面３との交線である長辺３ａ及び短辺３ｂと略平行になるように設けられている。底面３には、折込線７，８と同様に、裏面側から見て凹状にプレス加工された折込線１１，１２が、底面３と、長側面４及び短側面５との各交線である長辺３ａ及び短辺３ｂと略平行になるように設けられている。
【００６１】
続いて、本実施の形態における収納箱１’の使用法について説明する。
【００６２】
図１０に示すように、左右の親指（図示せず）を、各長辺３ａの略中間点に当て、そこに押込力を加えて、折込線７，８，１１，１２が表面側から見て山折りとなり、かつ、長辺３ａ、短辺３ｂが表面側から見て谷折りとなるように、すなわち、底面３が凸状となるように変形させる。そして、図１１に示すように、左右の親指（図示せず）を各短辺３ｂの略中間点に当て、そこに押込力を加え、折込線７，８が山折りとなり、長辺３ａ、短辺３ｂがそれぞれ長側面４及び短側面５に当接するとともに、折込線１１，１２が底面３に対して略フラットとなるように、底面３を凹状に変形させる（図１２，図１３）。
【００６３】
このような二段階の手順により、第１実施形態の収納箱１と同様に、長側面４及び短側面５の下部４ａ，５ａが折込線７，８を境に中空内部Ｓの側に折り込まれ、長側面４及び短側面５の壁面に当接することによって、当該折込線７，８が新たな長辺及び短辺となるように変形することになる。これにより、底面３は略全面的に底上げされ、積層状態にあるティッシュペーパーＴは全体的に取出口６に接近するので、その取出しが容易となる。
【００６４】
この実施の形態に係る収納箱１’によれば、まず底面３の両長辺３ａに押込力を加えることにより、底面３が容易に凸条に変形することになる。このとき、切込みの形成を容易とする切込線１０と補助切込線１３が設けられており、また、底面３に折込線１１，１２が設けられているため、当該切込線１０及び補助切込線１３により形成されている切込部分が離間し、当該折込線１１、１２に沿って、長側面４及び底面３の長辺３ａを容易に変形させることができる。そして、その後に、短側面５及び底面３の短辺３ｂに押込力を加え、底面３の凸部を下方に押し込むことによって、折込線１１，１２が底面３に対して略フラットとなるように、底面３を凹状に変形させることができる。このように、二段階の作業で容易に収納箱１’を底上げすることができることになる。
【００６５】
なお、折込線７，８，１１，１２は、事前のプレス加工により、裏面側から見て凹状となるように加工されているため、裏面側から谷折りとなるように容易に折り込み変形させることができる。
【００６６】
（第３実施形態）
図１４は、実施の形態の他の例（第３実施形態）として収納箱２６を示し、図１５は、その生産に供するシート材２７を示す。収納箱２６は、収納箱１と略同様の構成を有するが、切込線１０の代わりに補助切込線１３，１４と同一長さの補助切込線２８が端部３ｃから短辺３ｂに沿って設けられ、かつ、この補助切込線２８の端部２８ａと交点３ｆとの間に凹状にプレス加工された折込線２９が設けられている点が異なる。収納箱２６の底上げ時には、折込片２５の代わりに、切込線１４，２８により形成される切込み１４，２８を外縁とする三角形状の折込片３０が折り込まれる。
【００６７】
この収納箱２６では、底上げ時に折り込まれなければならない底面３の長さが、切込み９によりＬ１からＬ３（図１４参照）に分断・短縮される。
【００６８】
（第４実施形態）
図１６は、実施の形態のさらに他の例（第４実施形態）として収納箱３１を示し、図１７は、その生産に供するシート材３２を示す。シート材３２は、シート材１６の折込線１５に代えてミシン目状に加工された補助切込線３３が設けられたもので、補助切込線３３は、長辺３ａに対して切込線１０と線対称な形状を呈する。すなわち、補助切込線３３は、長辺３ａの端部３ｃから長側面４の中心部４ｂ（長側面４において２本の対角線が交差する点を含む広がりをもった領域）に向けて設けられ、補助切込線３３の端部３３ａは折込線７上に位置する。収納箱３１の底上げ時には、補助切込線３３のミシン目を破断して切込み３３を形成し、切込み１３，３３で囲まれた三角形状の折込片を折り込めばよい。
【００６９】
この収納箱３１では、底上げ時に折り込まなければならない長側面４の下部４ａの折込線７に沿った長さ（２つの端部３３ａ，３３ａで区画される折込線７の長さ）が、補助切込線３３が長側面４と短側面５との交線から離れる分（Ｌ１／２−Ｌ２）だけ小さくなる。ここでは、特に、切込線１０が長辺３ａの端部３ｃから底面３の中心部３ｄに向けて設けられており、底上げ時に折り込まなければならない底面３の折込線１１に沿った長さも小さくなるので、長側面４及び底面３の折込箇所（折込線７，１１で挟まれた領域）の短縮化が相俟って底上げが極めて容易となる。
【００７０】
なお、図１８に示すように、補助切込線３３を設けた際に、補助切込線１３を廃してもかまわない。この場合、長側面４において、切込み３３により分断されて短側面５側に残る三角形状の部分（上記切込み１３，３３で囲まれた三角形状の折込片に対応する部分）は、短側面５の下部５ａとともに折り込まれる。
【００７１】
以上、本発明を実施するための形態について例示したが、本発明の実施形態は上述したものに限られず、本発明の趣旨を逸脱しない範囲で適宜変更等してもよい。
【００７２】
例えば、収納箱は、切込線の形成や長側面及び短側面の折込み、底面の押上げを可能とするものであればどのようなものでもよく、その材質を紙ではなく薄いプラスチックとしてもよい。
【００７３】
また、切込線９を底面３及び長側面４の長手方向に沿って１箇所のみに設けるのではなく、２箇所以上に設けてもよいし、補助切込線１４を長辺３ａの端部３ｃから底面３と長側面４との交線に沿って設けるのではなく、底面３と短側面５との交線に沿って設けてもよい。
【００７４】
さらに、底上げ時に折込片を収納箱の内側ではなく外側に折り込んでもよいが、中空内部の側に折り曲げた方が長側面の裏面に押し戻される等して開口を塞ぐように復元しやすい場合には、その方が密閉性を保つ（通気性を抑える）上では望ましいことは上記のとおりである。
【産業上の利用可能性】
【００７５】
本発明は、積層状態のシート状の収納物で、上層のシートから順次取り出されて残量が減っていくものを収納する場合であれば、用途を問わず利用することができる。
【符号の説明】
【００７６】
１，１’，２６，３１    収納箱
２                天面
２ａ              （天面の）長辺
３                底面
３ａ              （底面の）長辺
３ｃ              （長辺の）端部
３ｄ              （底面の）中心部
４                長側面
４ａ              （長側面の）下部
４ｂ              （長側面の）中心部
５                短側面
５ａ              （短側面の）下部
６                取出口
７，８            折込線
９                切込線
１０              切込線（角部切込線）
１１，１２        折込線
１３，１４，２８  補助切込線
２４，２５，３０  折込片
３３              補助切込線
Ｓ                中空内部
Ｔ                ティッシュペーパー（シート状収納物）
【図１】
2011148545.tif 000003
【図２】
2011148545.tif 000004
【図３】
2011148545.tif 000005
【図４】
2011148545.tif 000006
【図５】
2011148545.tif 000007
【図６】
2011148545.tif 000008
【図７】
2011148545.tif 000009
【図８】
2011148545.tif 000010
【図９】
2011148545.tif 000011
【図１０】
2011148545.tif 000012
【図１１】
2011148545.tif 000013
【図１２】
2011148545.tif 000014
【図１３】
2011148545.tif 000015
【図１４】
2011148545.tif 000016
【図１５】
2011148545.tif 000017
【図１６】
2011148545.tif 000018
【図１７】
2011148545.tif 000019
【図１８】
2011148545.tif 000020